(57)【要約】【課題】通常の洗面器としての使いやすさを犠牲にすることなく洗髪や洗濯も行いやすい洗面化粧台を提供する。【解決手段】棚部４の奥側が下がった下面５に水栓金具を構成するスパウト６の基端部が回動可能に支持されている。このスパウト６はその基端部が垂直線を奥側に傾斜せしめた軸線Ｘ１を中心として回動可能に前記下面５に形成した支持穴に取り付けられ、且つスパウト６は所定の長さを有しているので、基端部を軸線Ｘ１を中心として手前側に回動せしめると、スパウト６先端の吐水部１０の位置は高くなり、奥側に回動せしめると、吐水部１０の位置は低くなる。【選択図】        図２
2004298436.tif 000002
【特許請求の範囲】
【請求項１】
洗面器と化粧鏡を備えた洗面化粧台において、前記洗面器に向けて吐水を行うスパウトはその基端部が垂直線を奥側に傾斜せしめた軸線を中心として回動可能に支持され、前記スパウトを基端部を中心に手前側に回動せしめることで、スパウト先端の吐水部の位置が高くなり、前記スパウトを基端部を中心に奥側に回動せしめることで、スパウト先端の吐水部の位置が低くなるようにしたことを特徴とする洗面化粧台。
【請求項２】
請求項１に記載の洗面化粧台において、前記スパウト先端の吐水部はスパウトの長さ方向の軸線を中心として回動可能に支持されていることを特徴とする洗面化粧台。
【請求項３】
請求項１に記載の洗面化粧台において、前記スパウトの回動中心となる軸線とスパウトの長さ方向の軸線とは直交し、前記スパウトの回動中心となる軸線とスパウト先端の吐水部の吐水方向軸線とは平行であることを特徴とする洗面化粧台。
【請求項４】
請求項１に記載の洗面化粧台において、前記スパウトの回動中心となる基端部は正面視で洗面器の中心から左右いずれかにオフセットされ、またスパウトを奥側に回動せしめた収納状態でスパウト先端の吐水部は正面視で洗面器の略中心に位置することを特徴とする洗面化粧台。
【請求項５】
請求項１に記載の洗面化粧台において、前記支持体には前方に向かって突出する棚部が設けられ、この棚部の下面に前記スパウトが回動自在に支持され、更に前記スパウトを基端部を中心に奥側に回動せしめた収納位置でスパウトは棚部の下方に隠されることを特徴とする洗面化粧台。
【請求項６】
請求項１に記載の洗面化粧台において、前記洗面器の底面形状を奥側に向かって低くなる略フラット面としたことを特徴とする洗面化粧台。
【発明の詳細な説明】
【０００１】
【発明の属する技術分野】
本発明は使用目的に応じてスパウトの高さ位置を調整できる洗面化粧台に関する。
【０００２】
【従来の技術】
一般的な洗面化粧台は、ベース台などの上に洗面器を設け、更に洗面器の奥側となる位置にミラーを取り付けるとともに、洗面器に向けて吐水する水栓金具を備えた構成となっている。
【０００３】
また、最近の洗面化粧台には、特許文献１〜３に開示されるように洗髪や簡単な洗濯も行えるようにしたものが流行っている。
特許文献１には、ベース台の奥側に水栓金具取付台を立設し、この水栓金具取付台の異なる２箇所にシャワーヘッド保持部を設け、これら２箇所のシャワーヘッド保持部を使用目的に合わせて選択的に使用する内容が開示されている。
特許文献２には、ベース台上面のカウンターの奥側にバックガードを立設し、このバックガードの上に水栓を備えたケースを設け、このケースの裏側に給水管を接続する構成が開示されている。
特許文献３には、洗面器の上方に張り出したミラーキャビネットの下面に、スパウト（水平管）を垂直軸を中心として回動自在に取り付け、手前側に回動せしめることで吐出口を使用者に近づける構成が開示されている。
【０００４】
【特許文献】
特許文献１：特開平９−２６６８６４号公報
【００２１】、
【００２２】
特許文献２：特開２００１−２６９２７５号公報
【００２１】〜
【００２６】
特許文献３：特開２００１−６１６８５号公報
【００１２】、
【００１３】、図２
【０００５】
【発明が解決しようとする課題】
特許文献１、２にあっては洗髪できることを主眼とした洗面化粧台であるので、水栓金具としてシャワーノズルを用いている。このため、歯磨きや洗顔といった洗面器本来の用途には使用しづらいという問題がある。特に、特許文献２にあってはシャワーノズルの位置を変更できないため、洗髪用としても使用勝手が悪い。
【０００６】
また、特許文献３にあっては水栓金具としてスパウトを用いており、スパウトを手前側に回動せしめることで吐水口が使用者に近づくのであるが、水平面内での回動であるため、吐水口の高さは変化しない。このため吐水口の下に頭を入れることが難しく洗髪しにくいという問題がある。尚、洗髪しやすくするには、はじめからスパウトの位置を高くしておけばよいが、この場合には通常の洗顔や手を洗うときに吐水口が高くなり過ぎ、水撥ねが生じやすい。
【０００７】
また、特許文献３に示されるようなアングル状のスパウトを水平面内ではなく垂直面内で回動させる構成も考えられる。しかしながらこの場合には吐水口の『位置は上下するが、前後方向の位置は変らないので、却って使用しづらい。
【０００８】
【課題を解決するための手段】
上記課題を解決するため、本発明に係る洗面化粧台は、洗面器と化粧鏡と前記洗面器に向けて吐水を行うスパウトを備え、前記スパウトはその基端部が垂直線を奥側に傾斜せしめた軸線を中心として回動可能に支持され、前記スパウトを基端部を中心に手前側に回動せしめることで、スパウト先端の吐水部の位置が高くなり、前記スパウトを基端部を中心に奥側に回動せしめることで、スパウト先端の吐水部の位置が低くなるようにした。
上記構成とすることで、スパウトを回動させるという簡単な操作で、洗髪に適した高さと突出位置、及び洗顔、手洗い或いは歯磨きに適した高さを選択することができる。
【０００９】
前記スパウト先端の吐水部をスパウトの長さ方向の軸線を中心として回動可能とすることができる。この構成によって、吐水方向を任意の角度に調整することができる。
【００１０】
また、前記スパウトの回動中心となる軸線とスパウトの長さ方向の軸線とを直交せしめ、更に前記スパウトの回動中心となる軸線とスパウト先端の吐水部の吐水方向軸線とを平行にすることも可能である。この構成によって、スパウトを回動させて吐水位置を変えても吐水角度を一定に保つことができ、予期しない方向に吐水することによって、衣服を濡らしたりすることを防ぐことができる。
【００１１】
また、前記スパウトの回動中心となる基端部を正面視で洗面器の中心から左右いずれかにオフセットするとともに、スパウトを奥側に回動せしめた収納状態でスパウト先端の吐水部が正面視で洗面器の略中心に位置する構成としてもよい。
例えば洗髪の際には頭を下げるので吐水位置が洗面器の中心から外れている方が楽であり、一方、手を洗う際には吐水位置が洗面器の中心にある方が洗面器の外への水撥ねが少なくなるので好ましい。上記の構成とすることでこれを達成できる。
【００１２】
また、前方に向かって突出する棚部を設け、この棚部の下面に前記スパウトを回動自在に支持し、収納位置でスパウトを棚部の下方に隠す構成とすることで、見栄えがよくなり且つ収納時の洗面器上方空間が広くなり、万一化粧鏡から物を落とした際にも、水栓を破損することがなく、顔を洗うために吐水口に顔を近づけても水栓先端部の出っ張りが目に入ることがないので圧迫感を感じたり誤って頭をぶつけることがない。
【００１３】
また、前記洗面器の底面形状を奥側に向かって低くなる略フラット面としてもよい。このような構成とすることで、力を入れやすい姿勢で洗濯することができ、フラット面の手前の方で小物洗い等をする時に吐水位置を奥側にもっていくと、手や洗い物に水があたって撥ねることがなくなり、周りに水を撥ねさせずに小物洗いや洗濯ができる。
更に、吐水口が手前に回転する構成を追加すると水栓を手前に回さなくても手前に吐水することができ、スパウトが邪魔にならないので洗濯時の使い勝手が向上する。
【００１４】
【発明の実施の形態】
以下に本発明の実施の形態を添付図面に基づいて説明する。図１は本発明に係る洗面化粧台のスパウトを手前側に回動させた状態の正面図、図２は図１のＡ−Ａ方向矢視断面図、図３は図２の要部拡大図である。
【００１５】
洗面化粧台はベース台（ベースキャビネット）１の上に洗面器２を載置し、この洗面器２の奥側のベース台１を上方に延びる支持部３としている。支持部３は内部を中空とするとともに上部に棚部４が形成され、この棚部４の奥側が下がった下面５に水栓金具を構成するスパウト６の基端部がパッキン７を介して回動可能に支持されている。
【００１６】
前記棚部４の上にはミラーキャビネット８を取り付け、このミラーキャビネット８の下端に設けた棚部９と前記棚部４とを重ね合わせている。尚、実施例ではミラーキャビネット８と支持部３とを別体としたが、一体としてもよい。またミラーキャビネット８と洗面器２と支持部３とを一体としてもよい。
【００１７】
前記スパウト６はその基端部が垂直線を奥側に傾斜せしめた軸線Ｘ１、更に詳細には垂直面内にあって上部が奥側に下部が手前側に位置する軸線Ｘ１を中心として回動可能に前記下面５に形成した支持穴に取り付けられている。
【００１８】
尚、図面では棚部４の下面５を奥側が下がった傾斜面としているが、下面５は水平面としても或いは曲面としてもよい。この場合には下面５に形成するスパウト６の支持穴を斜めに形成すればよい。
【００１９】
ここで、スパウト６は所定の長さを有しているので、基端部を軸線Ｘ１を中心として手前側に回動せしめると、図１及び図２に示すようにスパウト６先端の吐水部１０の位置は高くなり、奥側に回動せしめると、図４及び図５に示すように吐水部１０の位置は低くなる。
【００２０】
また、スパウト６の形状は中空の略Ｌ字状をなし、最も低くなるコーナ部に水抜き穴１１を形成し、先端部には前記吐水部１０を設け、この吐水部１０にスパウト内に挿通した湯水配管１２を繋げている。
【００２１】
この吐水部１０はスパウト６と一体的でもよいし、また図示例のようにスパウトの長さ方向の軸線Ｘ２を中心として回動自在としてもよい。例えば図６に示すように吐水部１０の位置を高くした状態で回動することで洗髪がし易くなり、図７に示すように吐水部１０の位置を低くした状態で回動することで、うがいや歯磨きが容易になる。
【００２２】
前記スパウト６の長さ方向の軸線Ｘ２はスパウト６の回動中心となる軸線Ｘ１と直交しており、この状態で吐水部１０からの吐水方向軸線Ｘ３を軸線Ｘ１と平行（軸線Ｘ２と直交）となるように設定すると、軸線Ｘ１を中心としてスパウト６を回動せしめ、吐水部１０の高さ位置を変更しても、吐水方向は変化しない。したがって、使用者は吐水方向を予測することができ、袖口を濡らすことなどが起こりにくくなる。
【００２３】
また、図示例にあってはスパウト６の回動中心となる基端部の取り付け位置を正面視で洗面器２の中心から左側にオフセット（右側でもよい）し、またスパウト６を奥側に回動せしめた収納状態でスパウト先端の吐水部１０が正面視で洗面器の略中心に位置する寸法にしている。
更に、収納状態では図５に示すように棚部４の下方に略全体が隠れるように寸法を決めている。このような構成とすることで、見栄えがよくなり且つ収納時の洗面器上方空間が広くなり、万一化粧鏡から物を落とした際にも、水栓を破損することがなく、顔を洗うために吐水口に顔を近づけても水栓先端部の出っ張りが目に入ることがないので圧迫感を感じたり誤って頭をぶつけることがない。
【００２４】
図８は吐水部の別実施例を示す図２と同様の図であり、この実施例にあっては吐水部１０をシャワーノズルとするとともに、スパウト６からこのシャワーノズルを引き出し可能としている。
【００２５】
図９及び図１０は洗面化粧台の別実施例を示す図２と同様の図である。
図９に示す実施例にあっては洗面器２の底面２ａを略フラット面とするとともに奥側に向かって低くなるようにし、更に、吐水口が手前に回転する構成を追加している。
このようにすると水栓を手前に回さなくても手前に吐水することができ、スパウトが邪魔にならないので洗濯時の使い勝手が向上する。また吐水口の角度を調整することで、スパウト６を奥側に回動させた際の吐水範囲がフラットな底面２ａと洗面器２の傾斜した内側側面２ｂとの交点付近となるようにすることができる。
このように底面２ａを奥に向って傾斜せしめるとともに吐水範囲を底面２ａの範囲に略一致せしめることで、小物を洗濯する場合に力を入れやすい姿勢で洗濯することができ、フラット面の手前の方で小物洗い等をする時に吐水口の角度を調整して吐水位置を奥側にもっていくと、手や洗い物に水があたって撥ねることがなくなり、周りに水を撥ねさせずに小物洗いや洗濯ができる。
【００２６】
図１０に示す実施例は洗面器２と支持部３とを一体的に成形した構成となっている。前記実施例にあっては支持部３を中空として配管などを配置しているが、必ずしも支持部３を中空とせずに配管は支持部３の裏側或いは壁の内側としてもよい。
【００２７】
図１１（ａ）および（ｂ）は更なる別実施例を示し、この実施例にあっては洗面器２とカウンター２０とを一体的に成形し、このカウンター２０に前記支持部３を設けている。そして、壁面にブラケット２１を取り付け、このブラケット２１に前記カウンター２０を載置固定している。
【００２８】
【発明の効果】
本発明に係る洗面化粧台によれば、スパウトを手前側に回動させることで、吐水位置が高くなり、スパウトを奥側に回動させることで吐水位置が低くなるので、洗顔、手洗い、歯磨きなどの洗面器としての機能を全く阻害することなく、洗髪や簡単な洗濯もしやすい。
【００２９】
また、本発明に係る洗面化粧台によれば、吐水位置を変えても吐水角度を一定に保つことが可能で、吐水させたまま吐水位置を変えても予想外の方向に吐水することがないので衣服を濡らすおそれがない。
【００３０】
また、スパウトの回動中心を洗面器の中心からオフセットしたり、支持体に設けた棚部下面にスパウトを取り付けるなどの工夫によって、見栄えと使用勝手をよくすることができ、更に洗面器の底面形状を工夫することで、洗濯しやすい洗面化粧台とすることも可能である。
【図面の簡単な説明】
【図１】本発明に係る洗面化粧台のスパウトを手前側に回動させた状態の正面図
【図２】図１のＡ−Ａ矢示方向の拡大断面図
【図３】図２の要部拡大図
【図４】本発明に係る洗面化粧台のスパウトを奥側に回動させた状態の正面図
【図５】図４のＢ−Ｂ矢示方向の拡大断面図
【図６】吐水部を回動させた状態の図１と同様の図
【図７】吐水部を回動させた状態の図５と同様の図
【図８】吐水部の別実施例を示す図２と同様の図
【図９】洗面化粧台の別実施例を示す図２と同様の図
【図１０】洗面化粧台の別実施例を示す図２と同様の図
【図１１】（ａ）は洗面化粧台の別実施例を示す側面図、（ｂ）は正面図
【符号の説明】
１…ベース台（ベースキャビネット）、２…洗面器、２ａ…洗面器の底面、２ｂ…洗面器の内側側面、３…支持部、４…棚部、５…棚部の下面、６…スパウト、７…パッキン、８…ミラーキャビネット、９…棚部、１０…吐水部、１１…水抜き穴、１２…湯水配管、２０…カウンター、２１…ブラケット、Ｘ１…スパウトの回動軸線、Ｘ２…スパウトの長手方向軸線、Ｘ３…吐水方向軸線。
【図１】
2004298436.tif 000003
【図２】
2004298436.tif 000004
【図３】
2004298436.tif 000005
【図４】
2004298436.tif 000006
【図５】
2004298436.tif 000007
【図６】
2004298436.tif 000008
【図７】
2004298436.tif 000009
【図８】
2004298436.tif 000010
【図９】
2004298436.tif 000011
【図１０】
2004298436.tif 000012
【図１１】
2004298436.tif 000013